(57)【要約】【課題】部品点数の削減及び省スペース化を図った光学モジュールを提供する。【解決手段】レンズを保持するレンズホルダ１５、１７と、該レンズホルダ１５、１７の光軸方向位置を変更する位置変更手段１３とを含み、前記レンズホルダ１５、１７と前記位置変更手段１３とが互いに吸引する磁性材料で形成された光学モジュールである。光学モジュールでは、レンズホルダと位置変更手段とが互いに磁気的に吸引するので、レンズホルダを位置変更手段に密接させる他の手段を別途で設ける必要が無いので、これらの周部構成を簡素化できる。よって、部品点数の削減と省スペース化を図った光学モジュールとすることができる。【選択図】    図５
2005017792.tif 000002
【特許請求の範囲】
【請求項１】
レンズを保持するレンズホルダと、該レンズホルダの光軸方向位置を変更する位置変更手段とを含み、前記レンズホルダと前記位置変更手段とが互いに吸引する磁性材料で形成されたことを特徴とする光学モジュール。
【請求項２】
レンズを各々保持する複数個のレンズホルダと、前記各レンズホルダの光軸方向位置を変更する位置変更手段とを含み、前記複数個のレンズホルダと前記位置変更手段とが互いに吸引する磁性材料で形成されたことを特徴とする光学モジュール。
【請求項３】
前記位置変更手段は前記レンズホルダを内部に摺動自在に保持する鏡筒の外周に配置した円筒カムを含み、前記レンズホルダは側面から延びる突起部材を備え、該突起部材が前記円筒カムのカム面に摺接していることを特徴とする請求項１又は２に記載の光学モジュール。
【請求項４】
前記カム面は、前記レンズホルダを光軸上の所定位置に誘導する形状を備えていることを特徴とする請求項３に記載の光学モジュール。
【請求項５】
前記レンズホルダは第１のガイド部を有し、前記鏡筒は前記第１のガイド部に係合する第２のガイド部を有し、前記第１及び第２のガイド部は前記レンズホルダを前記鏡筒内で摺動自在に保持することを特徴とする請求項３に記載の光学モジュール。
【発明の詳細な説明】
【０００１】
【発明の属する技術分野】
本発明は、ＣＣＤ等の撮像素子を用いた小型カメラに含まれる光学モジュールに関する。
【０００２】
【従来の技術】
近年、微小なカメラを搭載した携帯電話やノート型パソコン等の電子機器が広く提供されるようになっている。これらの電子機器は小型化及び軽量化の要請が大きく、これに内蔵するカメラをより小型軽量化することが求められる。よって、カメラの光学系部品である光学モジュールについてもより一層の小型軽量化を図る必要がある。
【０００３】
小型カメラで複数のレンズを移動させるレンズ駆動装置に関しては、例えば特許文献１に開示がある。この特許文献１では、図９に示すように、板カム１１０を用いることによりセンサ類や信号処理装置を削減して小型化および構成の簡素化を図ったレンズ駆動装置１００を開示している。
【０００４】
【特許文献１】
特開２００２−１８９１６５号  公報
【０００５】
【発明が解決しようとする課題】
しかしながら、特許文献１で開示するレンズ駆動装置１００は玉枠（レンズホルダ）１０５、１０６を光軸方向に案内するためのガイドピン１０１、１０２を別部品として設ける必要がある。また、駆動源１０７の駆動力を伝達するための駆動軸１０３も別途で設けている。このように光学系の部品とは全く別の部品が増えると省スペース化の要請に対応することが困難な構造となる。また、レンズホルダ１０５、１０６の各々にはカムフォロアとしてのピン１０８、１０９が設けられている。これらのピン１０８、１０９は板カム１１０に形成した、カム溝１１２、１１３に係合している。この板カム１１０を軸１１５周りに回動することにより、レンズホルダ１０５、１０６を所定位置に設定する。しかし、板カム１１０を配置し、この板カム１１０が移動する範囲のスペースを確保しておく必要がある。よって、この点でも特許文献１で開示する装置１００は、省スペース化の要請に対応することが困難な構造となっている。
【０００６】
本発明は、上記課題を解決して、部品点数の削減及び省スペース化を図った光学モジュールを提供することを目的とする。
【０００７】
【課題を解決するための手段】
上記目的は、レンズを保持するレンズホルダと、該レンズホルダの光軸方向位置を変更する位置変更手段とを含み、前記レンズホルダと前記位置変更手段とが互いに吸引する磁性材料で形成された光学モジュールにより達成することができる。本発明によるとレンズホルダと位置変更手段とが互いに磁気的に吸引するので、レンズホルダを位置変更手段に密接させる他の手段を別途に設ける必要が無いので、これらの周部構成を簡素化できる。よって、部品点数の削減と省スペース化を図った光学モジュールとすることができる。
【０００８】
また、レンズを各々保持する複数個のレンズホルダと、前記各レンズホルダの光軸方向位置を変更する位置変更手段とを含み、前記複数個のレンズホルダと前記位置変更手段とが互いに吸引する磁性材料で形成された光学モジュールによっても上記目的を達成することができる。本発明の場合には、レンズホルダ同士も磁気的に吸引するので、各レンズホルダと位置変更手段とが相互に吸引する関係が形成される。本発明によっても、レンズホルダを位置変更手段に密接させる他の手段を別途に設ける必要が無いのでこれらの周部構成を簡素化できる。
【０００９】
そして、前記位置変更手段は前記レンズホルダを内部に摺動自在に保持する鏡筒の外周に配置した円筒カムを含み、前記レンズホルダは側面から延びる突起部材を備え、該突起部材が前記円筒カムのカム面に摺接している構造を採用することができる。この場合には、円筒カムのカム面に突起部材を確実に摺接させながらレンズホルダを移動させることができる。そして、前記カム面が、前記レンズホルダを光軸上の所定位置に誘導する形状を備えていればよい。なお、前記レンズホルダは第１のガイド部を有し、前記鏡筒は前記第１のガイド部に係合する第２のガイド部を有し、前記第１及び第２のガイド部は前記レンズホルダを前記鏡筒内で摺動自在に保持する構造を備えていれば更に好ましい光学モジュールとなる。
【００１０】
【発明の実施の形態】
以下、本発明に係る一実施形態を図面を参照して説明する。図１は、第１の実施形態に係る光学モジュールの内部を確認できるように示した分解斜視図である。なお、図１では特徴的な構成が理解し易くなるように途中に介在するフィルタや絞り等を省略して示している。所定の配線パターンが形成された基板１上に撮像素子としてのＣＣＤ２が固定されている。基板１としては、例えばフレキシブル配線基板（ＦＰＣ基板）を採用することができる。この基板１に配置されたＣＣＤ２上に撮影画像が結像するように光学系ユニット３が配置される。なお、本明細書でいう光学モジュールとは、レンズ及びこれを光軸方向（図１の紙面では上下方向）に駆動する光学系ユニット３であってもよいし、ＣＣＤ２、さらには基板１までも含んだ構造と理解してもよい。
【００１１】
光学系ユニット３は、基板１側から、鏡筒１１、スペーサ１２、円筒カム１３、第３レンズ１４、第３レンズホルダ１５、第２レンズ１６、第２レンズホルダ１７、第１レンズ１８及び第１レンズホルダ１９を含んでいる。鏡筒１１は略円筒状を成し、基板１に固定されたＣＣＤ２を中心にして囲むように配置している。この鏡筒１１の内面には複数のガイド溝１１Ａ〜１１Ｆが形成されている。これらガイド溝中で２つのガイド溝１１Ａと１１Ｄとは、鏡筒１１の側部で光軸方向に延びる長溝状に形成されている。これらガイド溝１１Ａ〜１１Ｆについては後に詳述する。
【００１２】
なお、以下で説明するように、鏡筒１１内には、第３レンズホルダ１５及び第２レンズホルダ１７が摺動自在に保持され、また、この鏡筒１１の外周には第３レンズホルダ１５及び第２レンズホルダ１７の光軸方向位置を変更する位置変更手段として円筒カム１３が配置される。これら第３レンズホルダ１５及び第２レンズホルダ１７並びに円筒カム１３は、互いに磁気的に吸引するように形成されている。よって、鏡筒１１は、これらの磁気吸引関係に影響を与えない非磁性材料で形成することが望ましい。
【００１３】
スペーサ１２は、リング状を成しており上記鏡筒１１の外周に嵌まる大きさに形成されている。基板１上に配置されるＣＣＤ２の位置が、製造工程で光軸方向においてずれてしまう場合がある。このように基板１上に取り付けられるＣＣＤ２の光軸方向での相対位置が変化すると、設計した焦点がずれることになる。このずれを調整するために、本光学モジュールではスペーサ１２が採用されている。このスペーサ１２の厚みを変更することによりＣＣＤ２上に焦点が確実に位置するように調整できる。このスペーサ１２上には後述するように円筒カム１３が載置される。この円筒カム１３は第３レンズ１４及び第２レンズ１６を予め設計した位置に移動させるようにカム面が形成されている。本光学モジュールでは、円筒カム１３の下にスペーサ１２を敷設するという簡単な工夫で、カム曲線の変更等を行なうことなく基板１上でのＣＣＤ２の位置ずれに対処できるようにしている。
【００１４】
上記スペーサ１２は、種々の厚さを有するものを予め準備しておき、最適な厚みの物を適宜選択して使用することが好ましい。また、図１で例示したスペーサ１２はリング状であるが、その一部を切り欠いたＣ字状等でもよい。このように一部を切り欠いた形状とした場合には、横方向からの着脱が可能となるので、製造段階での組付性等を向上させることができる。また、スペーサ１２は必ずしも一体形状である必要はなく分割物の集合体であってもよく、円筒カム１３の下部に不連続に配置してもよい。また、このスペーサ１２は一層であることは必須ではなく、複数のスペーサを積層状態に形成してもよい。
【００１５】
上記スペーサ１２上には円筒カム１３が載置される。この円筒カム１３の上部面にはこのカム面１３１が形成されている。後述する第３レンズホルダ１５から半径方向に突出する突起部材として係合ピン１５１及び同様に第２レンズホルダ１７から半径方向に突出する係合ピン１７１がカムフォロアとなり、これらを所定軌跡で誘導できるようにカム面１３１の形状が規定されている。このカム面１３１と係合ピン１５１及び係合ピン１７１との関係については後に詳しく説明する。
【００１６】
第３レンズ１４は、基板１に最も近いレンズであり、第３レンズホルダ１５により保持されている。第２レンズ１６は中間に位置するレンズであり、第２レンズホルダ１７により保持されている。第１レンズ１８は被写体側に位置するレンズであり、第１レンズホルダ１９により保持されている。第３レンズホルダ１５の周部には、３つのガイド棒１５２−１〜１５２−３が等間隔で形成されている。これらガイド棒１５２−１〜１５２−３は、鏡筒１１の内部に形成したガイド溝１１Ａ、１１Ｃ、１１Ｅと摺動するように形成されている。この内の１つのガイド棒１５２−１からは、前述した係合ピン１５１が半径方向に突出している。また、この第３レンズホルダ１５の周部には３つの受溝１５３−１〜１５３−３が、上記ガイド棒１５２の間に位置するように形成されている。これら受溝１５３−１〜１５３−３は、同様の構造を有する第２レンズホルダ１７のガイド棒１７２−１〜１７２−３を受入れ用に形成されている。
【００１７】
第２レンズホルダ１７は、上記第３レンズホルダ１５と同様の構造を有している。すなわち、第２レンズホルダ１７の周部には、３つのガイド棒１７２−１〜１７２−３が形成されている。これらガイド棒１７２−１〜１７２−３は、鏡筒１１の内部に形成した残りのガイド溝１１Ｂ、１１Ｄ、１１Ｆと摺動するように形成されている。この内の１つのガイド棒１７２−１からは係合ピン１７１が半径方向に突出している。また、第２レンズホルダ１７の周部には受溝１７３−１〜１７３−３が形成されている。これら受溝１７３−１〜１７３−３は、第３レンズホルダ１５のガイド棒１５２−１〜１５２−３を受入れるように形成されている。
【００１８】
上記第３レンズホルダ１５と第２レンズホルダ１７とは、互いにガイド棒と受溝とを係合させて互いにスライド可能な状態である。そして、この状態のレンズホルダ１５、１７の各ガイド棒（１５２と１７２）が、鏡筒１１の内面に形成したガイド溝１１Ａ〜１１Ｆに係合することで、摺動自在に収納される。すなわち、本光学モジュールでは、レンズホルダ１５、１７の各ガイド棒（１５２と１７２）が第１のガイド部材、鏡筒１１の摺動面に形成したガイド溝１１Ａ〜１１Ｆが第２のガイド部となり、レンズホルダ１５、１７を前記鏡筒内で摺動自在に保持するガイド構造を実現している。
【００１９】
図２（Ａ）は第３レンズホルダ１５と第２レンズホルダ１７とを係合させた様子を示した図であり、図２（Ｂ）は鏡筒１１内にこの状態のレンズホルダを収納した様子を示した図である。第２レンズホルダ１７の受溝１７３−１〜１７３−３は、第３レンズホルダ１５のガイド棒１５２−１〜１５２−３を受入れている。同様に、第３レンズホルダ１５の受溝１５３−１〜１５３−３は、第２レンズホルダ１７のガイド棒１７２−１〜１７２−３を受入れている。よって、第２レンズホルダ１７と第３レンズホルダ１５とは、お互いに干渉することなく光軸方向で相対移動が可能な構造を実現している。
【００２０】
なお、図２（Ａ）では第３レンズホルダ１５と第２レンズホルダ１７とが間隔を持った状態で示されているが、この両レンズホルダ１５、１７は互いに吸引する磁気的材料で形成されており、外力を加えないときには互いに密着するように設計されている。
【００２１】
図２（Ｂ）は、図２（Ａ）に示した状態の第２レンズホルダ１７及び第３レンズホルダ１５を、鏡筒１１に収納した状態を示している。なお、図２（Ｂ）では半径方向に突出する係合ピン１５１及び係合ピン１７１の図示は省略している。前述したように鏡筒１１には、６個のガイド溝１１Ａ〜１１Ｆが形成されている。この６個のガイド溝に、第２レンズホルダ１７及び第３レンズホルダ１５が有する各々３つずつのガイド棒１５２、１７２が収納される。よって、第２レンズホルダ１７及び第３レンズホルダ１５は互いに相対位置を変更できると共に、両レンズホルダ１５、１７は共に鏡筒１１の内面を摺動自在となる。よって、従来のように別体でガイドピン等を設ける必要がないので、部品点数を削減した構造が実現される。なお、この図２（Ｂ）では、ガイド棒１５２−２のみが確認できる状態で示されている。
【００２２】
図３は、図２（Ｂ）に関連した図であり、第２レンズホルダ１７及び第３レンズホルダ１５を収納した状態の鏡筒１１を上から見た図である。図３（Ａ）は全体図、図３（Ｂ）は（Ａ）のα部分を拡大して示した図、図３（Ｃ）は（Ａ）のβ部分を拡大して示した図である。これらの図から確認できるように、第２レンズホルダ１７のガイド棒１７２−１〜１７２−３及び第３レンズホルダ１５のガイド棒１５２−１〜１５２−３は、それぞれが略正３角形を成すように交互に配置されている。また、図３（Ｂ）、（Ｃ）で拡大して２つの箇所を例示しているが、各ガイド棒と鏡筒１１内面のガイド溝１１Ａ〜１１Ｆとは近似した曲率を有する曲面同士で接触しており、無駄な遊びが無く接触面積が少なくなるように設計されている。すなわち、各レンズホルダ１５、１７は鏡筒１１の内面に３箇所で支持され、また、鏡筒１１の内面との接触が小さくなるように設計されている。よって、各レンズホルダ１５、１７は、ガタが無い状態で光軸方向に円滑に移動できる。また、各レンズホルダ１５、１７は、ほぼ点対称に配置した３個のガイド棒によって支持された状態となるので、応力集中を抑制でき落下の衝撃等にも強い構造が実現されている。さらに、前述したように、各レンズホルダ１５、１７は相手方のガイド棒を受ける受溝を互いに備えている。よって、ガイド棒を他方のレンズホルダに干渉させることなくガイド棒を長めに設定できる。このようにガイド棒を長め取った構造することにより、レンズホルダ１５、１７の傾き防止と安定した摺動動作を実現できる。また、レンズホルダ１５とレンズホルダ１７とを接近させることが可能となる。
【００２３】
以下では、図４から図６を参照して、本光学モジュールが備えている第２レンズホルダ１７及び第３レンズホルダ１５を円滑に移動させるための構成について説明する。図４は、基板１上に光学ユニット３を組付けた状態を示している。この図４では、基板１上にステッピングモータ３０が配置されている。このステッピングモータ３０の駆動軸（図示せず）にはギア３２が固定されている。このギア３２は円筒カム１３の外周に接触するように配置されている。よって、ギア３２が矢印ＲＵ方向に回動するとその駆動力を受けて、円筒カム１３が鏡筒１１の外側で回動する。円筒カム１３の上面は第３レンズホルダ１５から延びる係合ピン１５１及び第２レンズホルダ１７から延びる係合ピン１７１（図４では隠れている）を案内するカム面１３１になっているので、これらレンズホルダ１５、１７を光軸方向での所定位置に誘導できる。
【００２４】
ここで本光学モジュールが有する重要な構成の１つについて図５を参照して説明する。図５は、上記第２レンズホルダ１７及び第３レンズホルダ１５並びに円筒カム１３の関係を説明するために示した図である。本光学モジュールでは、この３つの部材が相互に磁気的に吸引するように設計されている。例えば図５に一例を示すように、円筒カム１３は円筒の磁性材料で形成され、着磁処理によって左上部にＮ磁極、右上部にＳ磁極が設定されている。この円筒カム１３の上面は前述したようにカム面１３１となる。
【００２５】
そして、この円筒カム１３に第３レンズホルダ１５が磁気的に吸引され、更にこの円筒カム１３及び第３レンズホルダ１５に第２レンズホルダ１７が磁気的に吸引されるように各部材の磁極が設定されている。但し、円筒カム１３と下側に位置する第３レンズホルダ１５との磁気的吸引力は、レンズホルダ１５、１７同士の磁気的吸引力より強くなるように着磁設定されている。このように設定することで、係合ピン１５１をカム面１３１に確実に摺接させることができる。なお、この図５ではカム面１３１を簡略化して示しているが、第３レンズホルダ１５から延びる係合ピン１５１はカム面１３１の前側１３１−Ｆに摺接し、また、第２レンズホルダ１７から延びる係合ピン１７１はカム面１３１の後側１３１−Ｂに摺接して、各々が光軸方向（上下方向）で移動するのでレンズホルダ１５、１７の距離は変化する。しかし、図５で示す磁気的吸引関係は維持される。この図５に示すように、第２レンズホルダ１７及び第３レンズホルダ１５並びに円筒カム１３を磁性材料で形成すると、磁力を用いて第２レンズホルダ１７及び第３レンズホルダ１５を円筒カム１３側に付勢する構造を実現できる。よって、係合ピン１５１、１７１をカム面１３１に押圧するための付勢バネ等を設ける必要がなくなる。係合ピン１５１及び係合ピン１７１が、カム面１３１に沿って移動したときのレンズホルダ１５、１７の移動軌跡については以下で説明する。
【００２６】
図４を再度参照すると、前述したように鏡筒１１は第３レンズホルダ１５及び第２レンズホルダ１７と円筒カム１３との間に位置するので、これらの磁気的関係を破壊しない非磁性材料が採用されている。また、この鏡筒１１を形成する材料は導電性も備えている。鏡筒１１にはアース配線３５がネジ３６によりネジ止めされ基板１の背面側に引出されグランド接続されている。鏡筒１１内でレンズホルダ１５、１７が摺動することにより、静電気が発生する場合がある。このような静電気を放置すると鏡筒１１とレンズホルダ１５、１７の張付きや埃の堆積による動作不良が誘発される。本光学モジュールでは発生した静電気を除去することができるので、このような問題の発生を防止できる。鏡筒１１を形成するための非磁性及び導電性の材料としては、例えばカーボンファイバ入り材料を好適に使用できる。
【００２７】
図６は、図４におけるＸ−Ｘ矢視での断面を示した図である。また、図７は円筒カム１３が回動したときの第１〜第３レンズ及びＣＣＤ２の位置関係を模式的に示した図である。図４も参照しながら説明する。円筒カム１３のカム面１３１は２つの領域に分割されている。すなわち、カム面１３１には、第３レンズホルダ１５から延びる係合ピン１５１が摺接する表側のカム面１３１−Ｆと、第２レンズホルダ１７から延びる係合ピン１７１が摺接する裏側のカム面１３１−Ｂとが形成されている。本光学モジュールでは、係合ピン１５１及び係合ピン１７１が円筒カム１３のカム面１３１に磁気的に吸引されるので、カム面１３１に沿ってこれらの係合ピンが摺動して第３レンズホルダ１５及び第２レンズホルダ１７を所定位置に誘導できる。なお、本光学モジュールでは磁気的吸引力を採用している。よって、係合ピン１５１及び係合ピン１７１をカム面１３１に押圧するためのバネ材等を配置する必要がないので周部の構造を簡素化できる。
【００２８】
表裏のカム面１３１−Ｆ、１３１−Ｂは、図７に示すように、第２レンズ１６、第３レンズ１４を相対移動させてワイド（ＷＩＤＥ）、ミドル（ＭＩＤＤＬＥ）、テレ（ＴＥＬＥ）の画像が得られるように形状が設計されている。円筒カム１３の回動を制御すると溝１１Ａ，１１Ｄ内の係合ピン１５１、１７１を介して、第２レンズホルダ１７及び第３レンズホルダ１５を光軸方向での所定位置に移動させることができる。このとき円筒カム１３のカム面１３１と係合ピン１５１、１７１の間、及び係合ピン１５１、１７１同士は相互に吸引力を作用させがらカム面１３１に沿って係合ピン１５１、１７１が移動する。その結果として第２レンズ１６、第３レンズ１４を図７に示した軌跡を確実に描くように移動させることができる。
【００２９】
図８は、第２の実施形態に係る光学モジュールついて示した図である。この実施形態では、第２レンズホルダ及び第３レンズホルダが第１の実施形態と異なる。この図８では、他の構成の図示を省略して、第２レンズホルダ７０及び第３レンズホルダ５０、並びに円筒カム１３のみを示している。図８（Ａ）はこの３個の部材を分離状態で示し、図８（Ｂ）はこれらを組付けた状態で示した図である。本実施形態の場合も第２レンズホルダ７０及び第３レンズホルダ５０、並びに円筒カム１３が相互に磁気的に吸引した構成を実現しており、第２レンズホルダ７０の係合ピン７１及び第３レンズホルダ５０の係合ピン５１がカム面１３１に密着して摺動される。本実施形態が第１の実施形態と異なるのは、第２レンズホルダ７０及び第３レンズホルダ５０がそれぞれ本体の周囲に立設した側壁５５、７５を有している点である。このように側壁５５、７５を備えると内部の密封性を向上するのでチリ等が侵入し難いより好ましい構造を実現できる。
【００３０】
以上説明したように、本光学モジュールでは磁気的吸引力を利用してレンズホルダから延びた係合ピンを円筒カムのカム面に摺接させることで、レンズホルダを光軸方向の所定位置に誘導する。よって、従来のようにガイドピンや板カムを用いることなく光学モジュールを構成できるので、部品点数を削減し、省スペース化を係ることができる。このように部品点数を少なく抑制できるので、組立工程も効率化できる。また、レンズホルダと円筒カムとが相互に磁気的に吸引するように構成したので、別途に付勢部材を設けることなく円筒カム側にレンズホルダを付勢することができる。この点でも部品点数を抑制できる。
【００３１】
以上本発明の好ましい一実施形態について詳述したが、本発明は係る特定の実施形態に限定されるものではなく、特許請求の範囲に記載された本発明の要旨の範囲内において、種々の変形・変更が可能である。前述した実施形態では、２つのレンズホルダ及び円筒カムを磁性材料で形成した場合を例示したが１つのレンズホルダと円筒カムとの組合せでもよい。また、３つ以上のレンズホルダと円筒カムの場合も同様に構成することができる。また、係合ピン１５１、１７１はガイド棒１５２−１、１７２−１から半径方向に延ばしているが、レンズホルダ本体部から延出するようにしてもよい。
【００３２】
【発明の効果】
以上説明したように、本発明によれば、レンズホルダと位置変更手段とが互いに磁気的に吸引するので、レンズホルダを位置変更手段に密接させる他の手段を別途で設ける必要が無く、これらの周部構成を簡素化できる。よって、部品点数の削減と省スペース化を図った光学モジュールとすることができる。
【図面の簡単な説明】
【図１】第１の実施形態に係る光学モジュールの内部を確認できるように示した分解斜視図である。
【図２】（Ａ）は第３レンズホルダと第２レンズホルダとを係合させた様子を示した図であり、（Ｂ）は鏡筒内にレンズホルダを収納した様子を示した図である。
【図３】第２レンズホルダ及び第３レンズホルダを収納した状態の鏡筒を上から見た図である。
【図４】基板上に光学ユニットを組付けた状態を示した図である。
【図５】第２レンズホルダ及び第３レンズホルダ並びに円筒カムの関係を説明するために示した図である。
【図６】図４におけるＸ−Ｘ矢視での断面を示した図である。
【図７】円筒カムが回動したときの第１〜第３レンズ及びＣＣＤの位置関係を模式的に示した図である。
【図８】第２の実施形態に係る光学モジュールついて示した図である。
【図９】従来の小型カメラのレンズ駆動装置について示した図である。
【符号の説明】
１              基板
２              ＣＣＤ
３              光学系ユニット
１１            鏡筒
１１Ａ〜Ｆ      ガイド溝
１１Ａ，１１Ｄ  溝
１２            スペーサ
１３            円筒カム
１３１          カム面
１５            第３レンズホルダ
１５１          係合ピン
１５２          ガイド棒
１５３          受溝
１７            第２レンズホルダ
１７１          係合ピン
１７２          ガイド棒
１７３          受溝
【図１】
2005017792.tif 000003
【図２】
2005017792.tif 000004
【図３】
2005017792.tif 000005
【図４】
2005017792.tif 000006
【図５】
2005017792.tif 000007
【図６】
2005017792.tif 000008
【図７】
2005017792.tif 000009
【図８】
2005017792.tif 000010
【図９】
2005017792.tif 000011